(57)【特許請求の範囲】
【請求項１】
部屋の天井に設置され、室内を仕切る間仕切り用パネルの上辺に付設される鴨居ライナが摺動自在に嵌合する鴨居レールと、
前記鴨居レールの溝内に、前記鴨居レール全体に亘って所定の間隔で複数個設けられた吸込口と、
上流側の端が前記各吸込口に接続された吸引排気路と、
前記吸引排気路に設けられ、前記吸引排気路を通して前記各吸込口から室内空気を排出する方向に圧送する吸引ファンと、
前記吸引ファンの作動及び停止の切り換えを行う作動切換スイッチ装置と、を備え、
前記作動切換スイッチ装置は、前記鴨居レール全体に前記間仕切り用パネルが取着又は展開された状態を検知するとオンとし、前記鴨居レールの一部又は全体に前記間仕切り用パネルが取着又は展開されていない状態を検知するとオフとなるスイッチ動作を行うものであることを特徴とする、間仕切りパネル取着構造。
【請求項２】
前記部屋には、室内の空気を排出するための排気ダクトが接続されており、
前記吸引排気路は、その下流側の端が、前記排気ダクトの管路の途中に接続されていることを特徴とする、請求項１記載の間仕切りパネル取着構造。
【請求項３】
前記吸引排気路は、前記鴨居レールの前記各吸込口に連通接続された吸引管と、
複数の前記吸引管が接続された、一乃至複数のチャンバと、
前記各チャンバの其々に一対一対応して一乃至複数設けられ、前記各チャンバと前記排気ダクトとの間を接続するチャンバ接続管と、を備え、
前記吸引ファンは前記チャンバ接続管の途中に配設されていることを特徴とする、請求項２記載の間仕切りパネル取着構造。
【請求項４】
複数の前記吸込口を備えた前記鴨居レールは、当該鴨居レールの長手向きの中央を対称中心として対称に形成されていることを特徴とする、請求項１乃至３の何れか一記載の間仕切りパネル取着構造。
【発明の詳細な説明】
【技術分野】
【０００１】
本発明は、部屋の室内を仕切る間仕切り用パネルを部屋に取り付けるための間仕切りパネル取着構造に関し、特に、手術室やクリーンルームのような高い空気清浄度を必要とされる部屋に用いるのに適した間仕切りパネル取着構造に関する。
【背景技術】
【０００２】
１つの大部屋を複数の小部屋に区画して使用するのに、間仕切りパネルが使用される。例えば、会議室、手術室、クリーンルームなどの部屋を、使用目的によって大部屋として使用したい場合と、複数の小部屋として使用したい場合などに、このような間仕切りパネルが使用される。斯かる間仕切りパネル取り付け構造としては、特許文献１−４に記載のものが公知である。
【０００３】
特許文献１に記載の間仕切りパネル取り付け構造は、通常の会議室などの部屋の間仕切りの取り付け構造である。一般に、間仕切りパネル取り付け構造は、天井に鴨居レールを備えるとともに、間仕切りパネルの上縁辺に取り付けられた鴨居ライナを鴨居レールに嵌合させた構造を採る。
【０００４】
例えば、特許文献１に記載の間仕切りパネル取り付け構造では（同文献の図１，図２参照）、間仕切りパネル（パネル本体１０）には、上縁辺に、垂直軸（２２）により軸支された２つのローラ（側壁ローラ２４，２５）を備えた鴨居ライナ（上ガイド部２０）が設けられており、部屋の天井には、下向きに開口する断面角Ｃ字型の鴨居レール（上レール４０）が設けられている。そして、ローラ（側壁ローラ２４，２５）が鴨居レール（上レール４０）の溝内を転動することによって、間仕切りパネル（パネル本体１０）を移動自在に天井に取り付ける構造を採る。
【０００５】
また、クリーンルームや手術室のような高い気密性が要求される部屋における間仕切りパネル取り付け構造としては、特許文献２−４に記載のものが公知である。
【先行技術文献】
【特許文献】
【０００６】
【特許文献１】特開２０１３−２２２１号公報
【特許文献２】特開平１０−２４５９１９号公報
【特許文献３】特開平１１−２４１４４２号公報
【特許文献４】実開平６−５６３８３号公報
【発明の概要】
【発明が解決しようとする課題】
【０００７】
クリーンルームや手術室などのように高い空気清浄度を必要とされる部屋においては、塵埃の堆積や拡散を防止する必要がある。塵埃は、室内の凹陥部に堆積しやすく、特にレール構造の溝内は、空気の流れが極めて生じにくいために塵埃が堆積しやすい。上記従来の間仕切りパネル取り付け構造では、間仕切りパネルを装着又は展開した状態に於いては、鴨居レールは間仕切りパネルの上端縁によって閉塞されるため、塵埃は鴨居レールの溝内には侵入せず、塵埃の堆積は生じない。然し乍ら、間仕切りパネルを除去又は畳んだ状態に於いては、鴨居レールの溝口は室内に開放されており、室内の気流によって塵埃が鴨居レールの溝内に侵入する。このとき、鴨居レールの溝内には凹凸構造があれば、その凹凸構造の上向き面に塵埃が堆積する。また、鴨居レールの溝内は空気の流れが殆どないため、塵埃は鴨居レールの溝内面に付着する。その結果、次に間仕切りパネルを装着又は展開する際に、鴨居レールの溝内に堆積又は付着した塵埃が室内に落下して、結果的に室内の清浄度を下げることになる。
【０００８】
上記従来技術に於いては、このような間仕切りパネルを除去又は畳んだ際の鴨居レールの溝内への塵埃の堆積又は付着に対する配慮をした設計がされていないという問題があった。
【０００９】
そこで、本発明の目的は、間仕切りパネルを除去又は畳んだ際にも鴨居レール溝内への塵埃の堆積又は付着を防止し、室内の清浄度を高く保つことが可能な間仕切りパネル取着構造を提供することにある。
【課題を解決するための手段】
【００１０】
本発明に係る間仕切りパネル取着構造の第１の構成は、部屋の天井に設置され、室内を仕切る間仕切り用パネルの上辺に付設される鴨居ライナが摺動自在に嵌合する鴨居レールと、
前記鴨居レールの溝内に、前記鴨居レール全体に亘って所定の間隔で複数個設けられた吸込口と、
上流側の端が前記各吸込口に接続された吸引排気路と、
前記吸引排気路に設けられ、前記吸引排気路を通して前記各吸込口から室内空気を排出する方向に圧送する吸引ファンと、を備えたことを特徴とする。
【００１１】
この構成によれば、鴨居レールから間仕切り用パネルが取り外されている状態に於いて、吸引ファンを作動させておくことにより、鴨居レールの溝内の吸込口から吸引排気路を通して室内空気が排出される。これにより、鴨居レールの溝内は常時気流が生じた状態にあるため、鴨居レールの溝内に塵埃が付着又は堆積することが防止される。
【００１２】
ここで、各吸込口間の「所定の間隔」は、鴨居レールの溝内に侵入した塵埃が、吸引ファンの吸引力によってそれぞれの吸込口に吸引排出されるに十分な程度の間隔に設定される。具体的な距離は、吸引ファンの吸引力、鴨居レールの溝内構造、吸込口の大きさ等の設計条件に応じて適宜設定される。
【００１３】
本発明に係る間仕切りパネル取着構造の第２の構成は、前記第１の構成に於いて、前記部屋には、室内の空気を排出するための排気ダクトが接続されており、
前記吸引排気路は、その下流側の端が、前記排気ダクトの管路の途中に接続されていることを特徴とする。
【００１４】
この構成によれば、吸引排気路を排気ダクトに接続することで、吸引排気路を野外まで延設する必要が無くなり、施工が容易となる。また、吸引排気路下流側の排気流路として部屋に備えられる排気ダクトを利用することで、施工コストも削減することができる。
【００１５】
本発明に係る間仕切りパネル取着構造の第３の構成は、前記第２の構成に於いて、前記吸引排気路は、前記鴨居レールの前記各吸込口に連通接続された吸引管と、
複数の前記吸引管が接続された、一乃至複数のチャンバと、
前記各チャンバの其々に一対一対応して一乃至複数設けられ、前記各チャンバと前記排気ダクトとの間を接続するチャンバ接続管と、を備え、
前記吸引ファンは前記チャンバ接続管の途中に配設されていることを特徴とする。
【００１６】
この構成によれば、鴨居レールの各吸込口の下流側にチャンバをバッファ（気圧緩衝室）として設けた事により、各吸込口に加わる吸引圧が均一化される。吸引圧が均一化されることで、鴨居レールの溝内の気流のムラが無くなり、溝内において局所的に空気が滞留することが防止される。そのため、溝内での空気が滞留による塵埃の堆積又は付着が効果的に防止される。
【００１７】
ここで、吸引管は鴨居レールの各吸込口に「連通接続され」るが、これは、吸引管が吸込口に直接接続し連通され、又は吸引管が他の管路を介して間接的に接続し連通されていていることを意味する。間接的に接続し連通されていている場合には、吸込口の数と吸引管の数とは必ずしも一致する必要はない。
【００１８】
本発明に係る間仕切りパネル取着構造の第４の構成は、前記第１乃至３の何れか一の構成に於いて、複数の前記吸込口を備えた前記鴨居レールは、当該鴨居レールの長手向きの中央を対称中心として対称に形成されていることを特徴とする。
【００１９】
この構成によれば、鴨居レールを左右対称に形成することで、吸引ファンにより吸込口から室内空気を吸引した際に、鴨居レールの溝内に生じる気流は左右対称となる。従って、室内の気流の偏りが生じにくくなり、溝内において局所的に空気が滞留することが防止される。そのため、溝内での空気が滞留による塵埃の堆積又は付着が効果的に防止される。
【００２０】
ここで、「鴨居レールの長手向きの中央を対称中心として対称に形成」とは、鴨居レールの長手向きの中央点を通る回転対称軸に対して２回対称、又は当該中央点を含み鴨居レールの長手向きに対し垂直な鏡映対称面に対して面対称であることを意味する。
【００２１】
本発明に係る間仕切りパネル取着構造の第５の構成は、前記第１乃至４の何れか一の構成に於いて、前記吸引ファンの作動及び停止の切り換えを行う作動切換スイッチ装置を備え、
前記作動切換スイッチ装置は、前記鴨居レール全体に前記間仕切り用パネルが取着又は展開された状態を検知するとオンとし、前記鴨居レールの一部又は全体に前記間仕切り用パネルが取着又は展開されていない状態を検知するとオフとなるスイッチ動作を行うものであることを特徴とする。
【００２２】
この構成によれば、間仕切り用パネルにより部屋が仕切られた際には、間仕切り用パネルは鴨居レール全体に展開されるため、間仕切り用パネルが作動切換スイッチ装置に当接して当該作動切換スイッチ装置がオフ状態となり、吸引ファンは停止する。この状態では、鴨居レール全体が間仕切り用パネルの上端縁により閉塞されており、塵埃が鴨居レールの溝内に侵入しないため、吸引ファンを作動する必要が無く、無駄なエネルギー消費を抑えることができる。
【００２３】
ここで、「作動切換スイッチ装置」としては、鴨居レールの一端に取り付けられ間仕切りパネルが当たることによってオン／オフ切替されるリミットスイッチや、吸引ファンの電流を検出して間仕切り用パネルの脱着を感知してオン／オフ切替されるスイッチ回路や、吸引排気路の気流（空気流速又は流量）を検出することで間仕切り用パネルの脱着を感知してオン／オフ切替されるスイッチ回路等を使用することができる。
【発明の効果】
【００２４】
以上のように、本発明の間仕切りパネル取着構造によれば、鴨居レール溝内の吸込口から吸引排気路を介して吸引ファンによって排気を行う構造としたことによって、鴨居レールから間仕切り用パネルが取り外されている状態に於いて、鴨居レールの溝内は常時気流が生じた状態とし、鴨居レール溝内への塵埃の付着又は堆積を防止することができ、その結果、間仕切りパネルを装着又は展開する際に鴨居レール溝内に堆積又は付着した塵埃が室内に落下するようなことを防止し、室内の清浄度を高く保つことができる。
【図面の簡単な説明】
【００２５】
【図１】本発明の実施例１に係る間仕切りパネル取着構造を天井パネルの上側から視た斜視図である。
【図２】図１の間仕切りパネル取着構造の要部の分解斜視図である。
【図３】図１の間仕切りパネル取着構造の（ａ）要部側面図、（ｂ）正面図及び（ｃ）鴨居レール１端部の拡大斜視図である。
【図４】実施例１に係る間仕切りパネル取着構造を部屋に設置した状態を表す平面配管図である。
【図５】本実施例の間仕切りパネル取着構造Ｓに（ａ）間仕切りパネルＰを取り付けた状態と、（ｂ）間仕切りパネルＰを取り外した状態を表す図である。
【図６】（ａ）実施例２に係る間仕切りパネル取着構造の鴨居レール１の一端部周辺の拡大透視側面図、及び（ｂ）作動切換スイッチ装置４０の分解斜視図である。
【図７】（ａ）図６の作動切換スイッチ装置４０が設けられた鴨居レール１の一端部周辺を室内から視た斜視図、及び（ｂ）吸引ファン７のスイッチ回路を示した回路図である。
【図８】実施例３に係る間仕切りパネル取着構造における吸引ファン７のスイッチ回路を示した回路図である。
【発明を実施するための形態】
【００２６】
以下、本発明を実施するための形態について、図面を参照しながら説明する。
【実施例１】
【００２７】
図１は、本発明の実施例１に係る間仕切りパネル取着構造を天井パネルの上側（天井裏）から視た斜視図である。図２は、図１の間仕切りパネル取着構造の要部の分解斜視図である。図３は、図１の間仕切りパネル取着構造の（ａ）要部側面図、（ｂ）正面図及び（ｃ）鴨居レール１端部の拡大斜視図である。尚、図２においては、説明のため、鴨居レール１及び通気管３の一部を破断面として表示している。尚、実際には間仕切りパネル取着構造は、天井裏の梁などの構造材に固定金具等によって固定されるが、見易くするために、図では構造材や固定金具等は図示を省略している。また、図１，図２においては、説明の便宜のために、鴨居レール１及び通気管３の端部が開放された状態を示しているが、実際に使用する際には、鴨居レール１及び通気管３の端部はキャップ（図示せず）によって閉塞される。
【００２８】
実施例１の間仕切りパネル取着構造Ｓは、鴨居レール１、鴨居レール１の溝内に複数個開口形成された吸込口２、鴨居レール１の上面に固定された通気管３、通気管３の左右両側から通気管３の下面側端付近にかけて被着された断面Ｌ字状の固定金具４，４、通気管３と連通して通気管３上部に取り付けられた２つのチャンバ５，５、各調圧チャンバ５，５と排気ダクト２４（図４参照）との間を接続するチャンバ接続管６，６、及び各チャンバ接続管６，６に設けられた吸引ファン７，７を備えている。
【００２９】
本実施例の間仕切りパネル取着構造Ｓは、鴨居レール１の長手向きの中央点Ｏを対称中心として２回対称に形成されている。図１において、点Ｏが鴨居レール１の長手向きの中央点、中央点Ｏを通り鴨居レール１に垂直な軸Ａが対称軸を表している。間仕切りパネル取着構造Ｓは、対称軸Ａの回りに１８０度回転させると、元の構造に丁度重なるため、２回対称の対称性を有している。
【００３０】
鴨居レール１は、溝口が下向きに開口するように天井パネルＣＬに設置されている。鴨居レール１の溝形状は、間仕切り用パネルの上辺に付設される鴨居ライナが摺動自在に嵌合可能な形状に形成されている。本発明では、溝形状に関しては特に限定するものではなく、それぞれの鴨居ライナの形状に適宜対応して作成することができる。本実施例においては、鴨居レール１は、リップ溝形鋼状に形成され、リップが、両側壁の下端から内向して延びるリップ基部１ａ，１ａと、リップ基部１ａ，１ａの端縁を溝外側に向かって直角に反曲したリップ垂直部１ｂ，１ｂと、リップ垂直部１ｂ，１ｂの下端を外向して直角に反曲したリップ鍔部１ｃ，１ｃとからなる。また、鴨居レール１の上端面は左右に張り出したフランジ１ｄ，１ｄが形成され、当該上端面の中央部には全長に亘って通気凹溝１ｅが形成されている。また、鴨居レール１の左右の溝内側面の一方には、ガイドレール１ｆが突出形成されている。
【００３１】
吸込口２は、円形孔であり、鴨居レール１の上端面の中央（すなわち通気凹溝１ｅの中央）に、鴨居レール１の長手方向に並列して貫通形成されている。各吸込口２は、鴨居レール１の長手方向中央を境として前後２群に区分され、各群内においては、各吸込口２は等間隔に配列されている。また、両群の各吸込口２は、鴨居レール１の長手方向中央を対称中心として前後対称に配置されている。
【００３２】
尚、吸込口２の間隔については、鴨居レール１の溝内に十分な速度の気流が生じるように、鴨居レール１の長さ、幅、吸引ファン７の吸引圧等に応じて、適宜設計し、変更することができる。
【００３３】
通気管３は、断面が矩形状の直管である。通気管３の幅（短手方向の長さ）はフランジ１ｄ，１ｄを含めた鴨居レール１の上面の幅と同幅である。また、通気管３の長さ（長手方向の長さ）は、鴨居レール１の長さと同一である。通気管３は、鴨居レール１と前後左右の端部位置を合致させ、空気漏れが生じないように鴨居レール１の上面に気密に密着して設けられている。また、通気管３の底面には、鴨居レール１の各吸込口２に対応する位置に、通気口３ａが貫通形成されている（図２参照）。また、通気管３の上面には、複数のチャンバ接続継手３ｂが突出形成されている（図２参照）。各チャンバ接続継手３ｂは円筒状の短管であり、通気管３の上面に垂直に連結され、下端側は通気管３の管内と連通している。各チャンバ接続継手３ｂは、通気管３の長手方向中央を境として前後２群に区分され、各群内においては、各チャンバ接続継手３ｂは等間隔に配列されている。また、両群の各チャンバ接続継手３ｂは、通気管３の長手方向中央を対称中心として前後対称に配置されている。
【００３４】
通気管３の左右にある固定金具４，４は、通気管３を鴨居レール１の上面に圧着するための金具である。各固定金具４は、山形鋼（アングル）であり、垂直板部の内側面を通気管３の側面に密着してボルト固定され、水平板部の内側面を鴨居レール１のフランジ１ｄ下面に密着してボルト固定されている（尚、各図ではボルトは省略）。これにより、通気管３は鴨居レール１の上面に圧着され、鴨居レール１上面の通気凹溝１ｅと通気管３底面とで囲繞された空間領域（通気凹溝１ｅの溝内空間）（図３（ｂ）参照）は、外部に対して漏気のない状態となる。
【００３５】
２つのチャンバ５，５は、各通気口３ａに加わる吸引圧力を均一化するために設けられたバッファ（気圧緩衝室）である。各チャンバ５は、両端が盲端の円筒形状の罐体であり、中心軸が鴨居レール１及び通気管３と平行となるように横倒して設置されている。また、両チャンバ５，５は同型であり、通気管３の長手方向中央を対称中心として前後対称に配置されている。各チャンバ５の下面には、通気管３の各チャンバ接続継手３ｂに対向する位置に、吸引管５ａが突設されており、この吸引管５ａをチャンバ接続継手３ｂに接続することによって、通気管３とチャンバ５とは連通されている。
【００３６】
尚、図４では、吸引管５ａ及びチャンバ接続継手３ｂの本数は、各チャンバ５につき５本とした例を示しているが、この本数は、チャンバ５や通気管３の長さ、断面積等に応じて、通気管内の吸引圧が均等となるように、適宜設計し、変更することができる。
【００３７】
２つのチャンバ接続管６，６は、それぞれ、各チャンバ５，５内の空気を外部に吸引排出するための配管である。両チャンバ接続管６，６は同型に形成されており、通気管３の長手方向中央を対称中心として２回対称となるように配置されている。各チャンバ接続管６のチャンバ５に接続される側（以下「先端側」という。）の先端部は２つに分岐しており、各分岐管がチャンバ５の両端付近の側面に接続されている。また、各チャンバ接続管６の基端側は、後述するように、室内空気の循環空調を行うための空調機ダクトの、除塵フィルタ上流側に接続されている（図４参照）。
【００３８】
吸引ファン７，７は、それぞれ各チャンバ接続管６，６の途中に設けられたファンであり、チャンバ接続管６内の空気を、チャンバ接続管６の先端側から基端側の方向（排出方向）へ圧送する。
【００３９】
尚、本実施例に於いては、各吸込口２から室内空気を吸引排出する「吸引排気路」は、通気管３、チャンバ５及びチャンバ接続管６によって構成されている。
【００４０】
図４は、実施例１に係る間仕切りパネル取着構造を部屋に設置した状態を表す平面配管図である。図４において、灰色に着色した部分が、図１の間仕切りパネル取着構造Ｓである。図４の間仕切りパネル取着構造Ｓは、部屋Ｒの中央を２つに区画する間仕切り用パネルを室内に設置するために、部屋Ｒの室内の天井に設置されている。
【００４１】
部屋Ｒを間仕切り用パネルによって２つに区画した際の小部屋Ｒ１，Ｒ２の中央部の天井には、空調用の天井吹出口２１，２１が設置されている。各天井吹出口２１には、空調用の給気ダクト２２が接続されており、給気ダクト２２及び天井吹出口２１を通して空調用の空気が室内に供給される。
【００４２】
各小部屋Ｒ１，Ｒ２の４隅の天井には、排気口２３，２３，２３，２３が設けられており、各排気口２３には排気ダクト２４が接続されている。排気ダクト２４の下流側は除塵フィルタ（図示せず）と空調機（図示せず）が接続されている。循環式空調機は、排気ダクト２４を介して各排気口２３から室内空気を吸引し、除塵フィルタで除塵し温湿度の調整を行った後に、給気ダクト２２を介して天井吹出口２１から空調空気を室内へ送風する。
【００４３】
本実施例の間仕切りパネル取着構造Ｓのチャンバ接続管６，６の下流端は、上記の排気ダクト２４に接続されている。従って、吸引ファン７，７によって鴨居レール１の各吸込口２からチャンバ接続管６へ吸引された室内空気は、排気ダクト２４から除塵フィルタ及び空調機へと送られる。
【００４４】
以上のように構成された本実施例の間仕切りパネル取着構造Ｓについて、以下その作用効果を説明する。
【００４５】
図５は、本実施例の間仕切りパネル取着構造Ｓに（ａ）間仕切りパネルＰを取り付けた状態と、（ｂ）間仕切りパネルＰを取り外した状態を表す図である。
【００４６】
図５（ａ）に示すように、間仕切りパネルＰは、上縁端面に、鴨居レール１の溝内に摺動自在に嵌合することが可能な構造の鴨居ライナ３０を備えている。鴨居ライナ３０は、回転軸３１、上側ローラ３２、及び下側ローラ３３を備えている。回転軸３１は、先端部が間仕切りパネルＰの上縁端面に垂直に突出して設けられている。回転軸３１の先端部には、上側ローラ３２及び下側ローラ３３が軸設されており、上側ローラ３２は鴨居レール１の溝内のガイドレール１ｆ上部に、下側ローラ３３は鴨居レール１の溝内のガイドレール１ｆ下部に遊嵌されている。回転軸３１は自由に回転することが可能であり、間仕切りパネルＰを鴨居レール１に沿って移動させると、回転軸３１に軸支された上側ローラ３２及び下側ローラ３３が回転して鴨居レール１の溝内を転動する。
【００４７】
回転軸３１の下端には、回転軸３１を軸承する軸受け部３４が接続され、さらに軸受け部３４の下側は、間仕切りパネルＰ内に内設されたダンパ３５のダンパ軸３５ａに接続されている。ダンパ３５は垂直向きに伸縮するバネ材を備え、そのバネ弾性によってダンパ軸３５ａを上下方向に付勢する。また、間仕切りパネルＰの上縁端面の左右両側には、ゴムなどの弾性体（エラストマー）により構成されたシーリング材３６，３６が突設されている。間仕切りパネルＰを鴨居レール１に取り付けた状態では、シーリング材３６，３６の上端面が鴨居レール１のリップ鍔部１ｃの下面に密着した状態となる。これによって、鴨居レール１の溝内に室内空気が流入するのが妨げられる。
【００４８】
従って、間仕切りパネルＰを鴨居レール１全体に取り付けた状態では、鴨居レール１の溝内には室内空気は殆ど流入せず、また、室内から鴨居レール１の溝内に塵埃が侵入することもない。
【００４９】
一方、間仕切りパネルＰを鴨居レール１から外した状態に於いては、図５（ｂ）に示したように、鴨居レール１の溝口は、室内に向かって開放された状態となり、鴨居レール１の溝内に塵埃が侵入可能となる。しかし、この状態に於いては、吸引ファン７によって、鴨居レール１の溝内の空気は溝奥部に設けられた吸込口２から吸引排気され、図５（ｂ）に矢印で示したように、鴨居レール１の溝内には空気の流れが生じる。そのため、仮に鴨居レール１の溝内に塵埃が侵入したとしても、気流によって塵埃は溝内に付着又は堆積することなく、吸込口２からチャンバ接続管６へ吸い出される。これにより、鴨居レール１溝内への塵埃の付着又は堆積を防止することができ、その結果、再び間仕切りパネルＰを鴨居レール１に装着又は展開する際に、鴨居レール１溝内に堆積又は付着した塵埃が室内に落下するというようなことが防止され、室内の清浄度を高く保つことができる。
【００５０】
さらに、前述したように、本実施例の間仕切りパネル取着構造Ｓは、鴨居レール１の長手向きの中央点Ｏを通る垂直軸Ａ（図１参照）を回転対称軸として２回対称に形成されている。従って、吸引ファン７の作動により鴨居レール１内に生じる気流は、鴨居レール１の中央点Ｏを中心としてほぼ対称な気流となる。そのため室内に作られる気流の対称性も高くなり、室内に発生する乱流を極力抑制することができる。これによって、室内における塵埃の舞い上がりを抑制することができ、室内の清浄度を極力高く保つことができる。尚、本実施例では、間仕切りパネル取着構造Ｓを２回対称とした例を示したが、鴨居レール１内に生じる気流はほぼ対称な気流とするという観点からは、間仕切りパネル取着構造Ｓを、鴨居レール１の長手向きの中央点Ｏを含み鴨居レール１の長手向き中心軸に対し垂直な面（図１の軸Ａを含み鴨居レール１に垂直な面）に対して面対称な構造に構成してもよい。
【実施例２】
【００５１】
実施例２では、実施例１の間仕切りパネル取着構造に、さらに吸引ファンの作動及び停止の切り換えを行う作動切換スイッチ装置を備えた構成の例を示す。図６は、（ａ）実施例２に係る間仕切りパネル取着構造の鴨居レール１の一端部周辺の拡大透視側面図、及び（ｂ）作動切換スイッチ装置４０の分解斜視図である。尚、図６において、実施例１と同様の構成部分については、同符号を付し、説明は省略する。
【００５２】
本実施例２の間仕切りパネル取着構造における鴨居レール１では、図６（ａ）に示すように、一端部のレール溝内に作動切換スイッチ装置４０を備えている。作動切換スイッチ装置４０は、通常のリミットスイッチを使用しており、その構造は図６（ｂ）に示した通りである。作動切換スイッチ装置４０は、スイッチ本体４０ａの側面にブランジャー４０ｂが突設されており、このブランジャー４０ｂは、スイッチ本体４０ａ内部のバネにより軸方向に往復動自在に取り付けられている。ブランジャー４０ｂを押圧して、ブランジャー４０ｂがスイッチ本体４０ａに押し込まれるとスイッチはオフ状態となり、ブランジャー４０ｂにかかる押圧力が開放されるとスイッチはオン状態となる。スイッチ本体４０ａは、図６（ａ）に示すように、取り付け金具４０ｃによって、鴨居レール１の一端部のレール溝内にネジ止めされている。このとき、ブランジャー４０ｂは、間仕切りパネルＰの鴨居ライナ３０の上側ローラ３２の軌道上に位置し、ブランジャー４０ｂの中心軸が当該軌道と平行となるように配置されている。従って、間仕切りパネルＰの一端が部屋の壁に当接するまで移動すると、上側ローラ３２が作動切換スイッチ装置４０のブランジャー４０ｂに当たり、ブランジャー４０ｂをスイッチ本体４０ａ内部に押し込んで、作動切換スイッチ装置４０はオフ状態となる。間仕切りパネルＰの一端が部屋の壁から離れると、作動切換スイッチ装置４０はオン状態となる。これにより、作動切換スイッチ装置４０は、鴨居レール全体に間仕切り用パネルＰが取着又は展開された状態を検知するとオン状態となり、鴨居レール１の一部又は全体に間仕切り用パネルＰが取着又は展開されていない状態を検知するとオフ状態となる。
【００５３】
尚、間仕切りパネルＰが勢いよく当たった際に作動切換スイッチ装置４０が破損することを防止するために、鴨居レール１の端部の溝口には、作動切換スイッチ装置４０のスイッチ本体４０ａを覆うように、エンドキャップ１ｇが設けられている（図６（ａ），図７参照）。
【００５４】
図７は、（ａ）図６の作動切換スイッチ装置４０が設けられた鴨居レール１の一端部周辺を室内から視た斜視図、及び（ｂ）吸引ファン７のスイッチ回路を示した回路図である。作動切換スイッチ装置４０が設けられた鴨居レール１の一端部Ｅには、当該端部Ｅに連設して、壁パネルＷＬに沿って垂直に戸当り部材４１が設けられている。間仕切りパネルＰを鴨居レール１全体に取着又は展開したときに、間仕切りパネルＰの側端縁はこの戸当り部材４１に嵌合し密閉状態となる。戸当り部材４１は、間仕切りパネルＰが当接する部分が、ゴムなどの弾性体（エラストマー）で構成されており、間仕切りパネルＰが当接した状態で気密性が保たれた状態となる。
【００５５】
また、端部Ｅの近傍の天井パネルＣＬには、図７（ａ）に示すように、レール排気ランプ４２，４２が設けられている。各レール排気ランプ４２，４２は、鴨居レール１の両側にそれぞれ設けられており、部屋Ｒを間仕切りパネルＰにより小部屋Ｒ１，Ｒ２に区画した際に、それぞれの小部屋Ｒ１，Ｒ２から何れか一方のレール排気ランプ４２，４２を視認することができるようにされている。
【００５６】
吸引ファン７、作動切換スイッチ装置４０、レール排気ランプ４２，４２、及び吸引ファン７の電源４３は、図７（ｂ）に示したようにそれぞれ接続されている。
鴨居レール全体に間仕切り用パネルＰが取着又は展開された状態では、作動切換スイッチ装置４０がオフ状態となり、吸引ファン７は停止し、レール排気ランプ４２，４２は消灯する。この状態では、鴨居レール１全体が間仕切り用パネルＰの上端縁により閉塞されており、塵埃が鴨居レール１の溝内に侵入しないため、吸引ファン７を作動する必要は無い。従って、このような状態では吸引ファン７を停止させることで、無駄なエネルギー消費を抑えることができる。一方、鴨居レール１の一部又は全体に間仕切り用パネルＰが取着又は展開されていない状態となると、作動切換スイッチ装置４０がオン状態となり、吸引ファン７は作動し、レール排気ランプ４２，４２は点灯する。これにより、鴨居レール１の溝内に塵埃が付着又は堆積することが防止される。また、使用者は、レール排気ランプ４２，４２を視て、吸引ファン７が正常に運転されているか否かを確認することができる。
【実施例３】
【００５７】
実施例３では、作動切換スイッチ装置の他の実施例を示す。本実施例３では、実施例２のリミットスイッチの代わりに、作動切換スイッチ装置４０として、吸引ファン７のモータを流れる電流を検出することによって吸引ファン７の作動及び停止の切り換えを行う切り換え回路を用いる。
【００５８】
図８は、実施例３に係る間仕切りパネル取着構造における吸引ファン７のスイッチ回路を示した回路図である。尚、本実施例に於いて、スイッチ回路以外の構成に関しては実施例１と同様であり、説明は省略する。
【００５９】
本実施例の吸引ファン７の作動切換スイッチ装置４０は、切換制御回路４４、電流センサ４５，４６、スイッチ回路４７、及び抵抗４８を備えている。尚、図８において、レール排気ランプ４２及び電源４３は、図７のものと同様である。
【００６０】
電流センサ４５は吸引ファン７のモータ電流を検出するセンサである。スイッチ回路４７及び抵抗４８は、電源４３に対し、吸引ファン７と並列に接続されている。電流センサ４６はスイッチ回路４７及び抵抗４８を流れる電流を検出するセンサである。切換制御回路４４は、電流センサ４５，４６の検出した電流値に基づいて、吸引ファン７のモータへの通電のオン／オフ切り換えを行う回路である。
【００６１】
まず、吸引ファン７がオフ状態にある場合に於ける切り換え動作を説明する。吸引ファン７のファンモータが停止した状態、すなわち、切換制御回路４４がファンモータへの通電をオフとしている状態においては、切換制御回路４４はスイッチ回路４７をオン状態としている。この状態に於いて、間仕切りパネルＰが鴨居レール１から取り外されて、鴨居レール１の溝内に室内の空気が流入可能となったとする。このとき、排気ダクト２４からは室内空気が吸引排出されており、排気ダクト２４内は室内に対して負圧状態にある。従って、吸込口２から通気管３、チャンバ５、チャンバ接続管６を通って排気ダクト２４へ室内空気が緩やかに吸引される（図４参照）。この際、チャンバ接続管６内に気流が生じることにより、停止状態の吸引ファン７のプロペラが回転し、ファンモータに起電力が生じる。この起電力によって、スイッチ回路４７及び抵抗４８に微弱な電流が流れ、この電流が電流センサ４６によって検出される。そこで、切換制御回路４４は、吸引ファン７のオフ状態に於いて、電流センサ４６により検出される電流が所定時間Ｔ１以上所定の閾値Ｉ１を超えた状態が継続した場合、間仕切りパネルＰが鴨居レール１から取り外されたものと判定し、スイッチ回路４７をオフするとともに、吸引ファン７のファンモータへの通電をオン状態に切り替える。これにより、吸引ファン７が起動し、レール排気ランプ４２，４２が点灯する。尚、「電流が所定時間Ｔ１以上所定の閾値Ｉ１を超えた状態が継続した場合」としたのは、ノイズや突発的な気流の乱れによる吸引ファン７のプロペラの一時的な回転の影響等による誤動作を排除するためである。
【００６２】
次に、吸引ファン７がオン状態にある場合に於ける切り換え動作を説明する。吸引ファン７のファンモータが作動している状態、すなわち、切換制御回路４４がファンモータへの通電をオンとしている状態においては、切換制御回路４４はスイッチ回路４７をオフ状態とし、抵抗４８には電流が流れない状態としている。ファンモータには、定常運転時の電流が流れており、電流センサ４５はこの電流の電流値を検出している状態にある。この状態に於いて、間仕切りパネルＰが鴨居レール１全体に取着又は展開され、鴨居レール１の溝内に室内空気が流入しなくなったとする。鴨居レール１への空気流入が停止されると、吸引ファン７の排気によって、チャンバ接続管６の吸引ファン７より上流側の気圧が低下し、吸引ファン７の負荷が増大する。この負荷の増大に伴って、吸引ファン７のファンモータの通電電流も増大する。このファンモータの通電電流も増大が電流センサ４５によって検出される。そこで、切換制御回路４４は、吸引ファン７のオン状態に於いて、電流センサ４５により検出される電流が所定時間Ｔ２以上所定の閾値Ｉ２を超えた状態が継続した場合、間仕切りパネルＰが鴨居レール１全体に取着又は展開されたものと判定し、吸引ファン７のファンモータへの通電をオフ状態に切り替えるとともに、スイッチ回路４７をオンする。これにより、吸引ファン７が停止し、レール排気ランプ４２，４２が消灯する。尚、ファンモータの通電電流も増大は、吸引ファン７の負荷が増大したとき以外にも、ファンモータの起動時の高トルク状態においても生じる。従って、ファンモータの起動時における通電電流の増大と判別するために、判定のための所定時間Ｔ２は、ファンモータの起動から定常状態に至るまでの時間よりも長い時間に設定しておくか、又はファンモータの起動から定常状態に至るまでの一定の時間帯は、ファンモータの停止を禁止するようにしておく必要がある。
【００６３】
尚、本実施例に於いては、切換制御回路４４は電流センサ４５，４６の検出する電流値を閾値判定することによって、吸引ファン７がオン／オフ切り換えを行う構成としたが、電流センサ４６の代わりに、抵抗４８の両端の電圧を検出して閾値判定する構成とすることもでき、また、電流センサ４５の代わりに、図８の電流センサ４５の位置に抵抗器を挿入してその抵抗の両端の電圧を検出して閾値判定する構成とすることもできる。
【符号の説明】
【００６４】
Ｒ  部屋
Ｒ１，Ｒ２  小部屋
Ｓ  間仕切りパネル取着構造
ＣＬ  天井パネル
ＷＬ  壁パネル
１  鴨居レール
１ａ  リップ基部
１ｂ  リップ垂直部
１ｃ  リップ鍔部
１ｄ  フランジ
１ｅ  通気凹溝
１ｆ  ガイドレール
１ｇ  エンドキャップ
２  吸込口
３  通気管
３ａ  通気口
３ｂ  チャンバ接続継手
４  固定金具
５  チャンバ
５ａ  吸引管
６  チャンバ接続管
７  吸引ファン
２１  天井吹出口
２２  給気ダクト
２３  排気口
２４  排気ダクト
Ｐ  間仕切りパネル
３０  鴨居ライナ
３１  回転軸
３２  上側ローラ
３３  下側ローラ
３４  軸受け部
３５  ダンパ
３５ａ  ダンパ軸
３６  シーリング材
４０  作動切換スイッチ装置
４０ａ  スイッチ本体
４０ｂ  ブランジャー
４０ｃ  取り付け金具
４１  戸当り部材
４２  レール排気ランプ
４３  電源
４４  切換制御回路
４５  電流センサ
４６  電流センサ
４７  スイッチ回路
４８  抵抗
【図１】
0006283341.tif 000002
【図２】
0006283341.tif 000003
【図３】
0006283341.tif 000004
【図４】
0006283341.tif 000005
【図５】
0006283341.tif 000006
【図６】
0006283341.tif 000007
【図７】
0006283341.tif 000008
【図８】
0006283341.tif 000009